(57)【要約】【課題】  洗髪後の髪及びペットの毛を短時間で乾燥する為に使用する手袋の提供。【解決手段】  一部に設けた着用口４から手を入れることで親指９を除く４本の指が収容される大きさで概略楕円形を成し、そして表面２と裏面３には親指９が外にはみ出す親指穴７，７・・をそれぞれ２ヶ所に設け、上記表面２及び裏面３は水分の吸水性に優れたタオルなどの生地で構成している。【選択図】    図１
2010185159.tif 000002
【特許請求の範囲】
【請求項１】
洗髪後の髪又は洗ったペットの毛を乾燥する際に使用する手袋において、一部に設けた着用口から手を入れることで親指を除く４本の指が収容される大きさで概略楕円形を成し、そして表面と裏面には親指が外にはみ出す親指穴をそれぞれ２ヶ所に設け、上記表面及び裏面は水分の吸水性に優れたタオルなどの生地で構成したことを特徴とする乾燥用手袋。
【請求項２】
洗髪後の髪又は洗ったペットの毛を乾燥する際に使用する手袋において、一部に設けた着用口から手を入れることで親指を除く４本の指が収容される大きさで概略楕円形を成し、そして外周縁には親指が外にはみ出す親指穴を２ヶ所に設け、表面及び裏面は水分の吸水性に優れたタオルなどの生地で構成したことを特徴とする乾燥用手袋。
【請求項３】
洗髪後の髪又は洗ったペットの毛を乾燥する際に使用する手袋において、一部に設けた着用口から手を入れることで親指を除く４本の指が収容される大きさで概略楕円形を成し、そして表面には親指が外にはみ出す親指穴を左右２ヶ所に設け、表面及び裏面は水分の吸水性に優れたタオルなどの生地で構成したことを特徴とする乾燥用手袋。
【請求項４】
洗髪後の髪又は洗ったペットの毛を乾燥する際に使用する手袋において、一部に設けた着用口から手を入れることで親指とその他の人差し指、中指、薬指、小指の一部が露出するように上部開口を設け、そして表面と裏面には親指が外にはみ出す親指穴をそれぞれ２ヶ所に設け、上記表面及び裏面は水分の吸水性に優れたタオルなどの生地で構成したことを特徴とする乾燥用手袋。
【請求項５】
洗髪後の髪又は洗ったペットの毛を乾燥する際に使用する手袋において、一部に設けた着用口から手を入れることで親指とその他の人差し指、中指、薬指、小指の一部が露出するように上部開口を設け、そして外周縁には親指が外にはみ出す親指穴を２ヶ所に設け、表面及び裏面は水分の吸水性に優れたタオルなどの生地で構成したことを特徴とする乾燥用手袋。
【請求項６】
洗髪後の髪又は洗ったペットの毛を乾燥する際に使用する手袋において、一部に設けた着用口から手を入れることで親指とその他の人差し指、中指、薬指、小指の一部が露出するように上部開口を設け、そして表面には親指が外にはみ出す親指穴を左右２ヶ所に設け、表面及び裏面は水分の吸水性に優れたタオルなどの生地で構成したことを特徴とする乾燥用手袋。
【請求項７】
上部開口の周縁にゴム紐を取付けた請求項４、請求項５、又は請求項６記載の乾燥用手袋。
【請求項８】
上部開口の中間部に仕切りを設け、人差し指と中指、及び薬指と小指が夫々露出するように、上部開口を２分した請求項４、請求項５、請求項６、又は請求項７記載の乾燥用手袋。
【請求項９】
手を挿入する為の着用口にゴム紐を取付けた請求項１、請求項２、請求項３、請求項４、請求項５、請求項６、請求項７、又は請求項８記載の乾燥用手袋。
【請求項１０】
上記親指穴にカバーを取付けた請求項１、請求項２、請求項３、請求項４、請求項５、請求項６、請求項７、請求項８、又は請求項９記載の乾燥用手袋。
【発明の詳細な説明】
【技術分野】
【０００１】
本発明は洗髪後の水分を頭髪より効率よく吸水乾燥させる場合、又はペットを洗った後の毛を効率よく乾燥させる場合に使用することが出来る手袋に関するものである。
【背景技術】
【０００２】
従来では洗髪後の頭髪を手軽に、しかも効率よく乾燥させる為に使用するタオルを手袋形状としたアイディアが良く知られている。
特開平９−３１３３９７号に係る「５本指の手袋型ハンドタオル」は、洗髪後の髪を乾燥させる時に用いるタオルであって、従来の長方形タオルを５本指の手袋型にすることにより使いやすくしている。生地はタオル地が使用され、５本の指が入る手袋型で、手のひらがゆったり入る程度の大きさと成っている。
【０００３】
特開２００６−６３４６９号に係る「洗髪乾燥用手袋」は、毛髪の水分を擦って吸水除去させるだけでなく、頭髪を擦る際、毛髪の活性化と併せて頭皮を押圧して刺激を与え、マッサージ効果を得ると共に、更にイオン効果などで頭皮に対して有効な物療的保健効果を奏せしめるようにした洗髪乾燥用手袋である。
そこで、 吸水性素材で形成される５指用袋部及び手のひら用袋部を一体に形成した手袋本体より成る洗髪乾燥用手袋であって、５指用袋部の端部に小袋部を設け、この小袋部内に毛髪や頭皮を活性化し、刺激する各種固型物を収納して構成している。
【０００４】
実用新案登録第３１４６５３５号に係る「毛髪ドライヤー速乾用手袋」は、ドライヤーの熱風を当てて毛髪を乾燥する際に、短時間で毛髪を乾燥することができ、髪を傷めない毛髪ドライヤー速乾用手袋である。
そこで、毛髪ドライヤー速乾用手袋は、毛髪をドライヤーで乾燥する時に手に着用し髪をかき上げながら、ドライヤーの熱風を当てるために用いる毛髪ドライヤー速乾用手袋であって、高吸湿性タオルから作製されている。毛髪ドライヤー速乾用手袋は高吸湿性タオルから作製されているので、吸湿性に優れ、ドライヤーで乾燥させる際に、髪をかき上げて髪に残っている湿気を吸収するとともに、ドライヤーの風の通りを良くする。その結果、短時間に髪を乾燥することが可能となり、髪がドライヤーから発生する熱風や電磁波で痛むのを防止あるいは低減し、またドライヤーの熱風の熱から手を守ることができる。
【０００５】
ところで、上記手袋を着用して濡れた髪をドアイヤーにて乾燥する場合、該手袋によって髪の水分が吸収される。その結果、手袋は湿ってしまい、遂には水分を吸収することが出来なくなる。従って、ある程度湿ったところで新たな手袋と交換しなくてはならず、面倒であると共に多数の乾燥用手袋を準備しておかなくてはならない。このことは洗髪した髪を乾燥する場合に限らず、ペットを洗った後の毛を乾かす場合も同じである。
【特許文献１】特開平９−３１３３９７号に係る「５本指の手袋型ハンドタオル」
【特許文献２】特開２００６−６３４６９号に係る「洗髪乾燥用手袋」
【特許文献３】実用新案登録第３１４６５３５号に係る「毛髪ドライヤー速乾用手袋」
【発明の開示】
【発明が解決しようとする課題】
【０００６】
このように、従来のタオルとして機能する乾燥用手袋には上記のごとき問題がある。本発明が解決しようとする課題はこれら問題点であり、複数の手袋を準備して交換することなく、１つの手袋を裏返しすることで連続して使用することが出来る乾燥用手袋を提供する。そして、本発明の乾燥用手袋の用途は洗髪後の乾燥のみならずペットの毛を乾かす場合も使用される。
【課題を解決するための手段】
【０００７】
本発明に係る乾燥用手袋は、従来のように５本の指が別々に入る形状の手袋ではなく、４本の指を収容する手袋で親指だけが外へはみ出すことが出来るように親指穴を設けている。親指が外へはみ出す為の上記親指穴は表面と裏面の左右両側にそれぞれ設けられ、裏側に反転しても着用出来る形状としている。又、右手であっても左手であっても着用可能としている。
【０００８】
その為に、表面と裏面にそれぞれ２個、合計４個の親指穴が設けられている。しかし、該親指穴を手袋の外周に設けるならば、両側に２個とすることが出来る。又、親指穴を外周付近に設けるならば、表面の両側２個とすることも可能である。そして、手袋の着用口にはゴム紐が取付けられ、着用した手袋が手から外れないようにしている。ここで、手袋の具体的な生地は限定しないが、吸水性に優れたタオルなどの生地が適している。
【０００９】
一方、本発明では人差し指、中指、薬指、小指の一部がはみ出すように、上部開口を設ける場合もある。この場合、上部開口の周縁にゴム紐を設けて各指との間の隙間をなくすことで熱風が内部へ侵入しないようにし、又、上部開口の中間部に仕切りを設ける場合もある。すなわち、人差し指と中指、及び薬指と小指が夫々露出するように上部開口は２分される。
【発明の効果】
【００１０】
本発明の乾燥用手袋は、手に着用して洗髪後の濡れた髪をドライヤーによって乾かす場合に、タオル代わりとして使用することが出来る。手袋生地は吸水性に優れている為に、ドライヤーの熱風を髪に当てることで乾かすと共に、髪の水分を手袋生地が吸収することで短時間で髪の乾燥が可能となる。
【００１１】
ところで、手に手袋を着用して濡れた髪を擦るならば、水分を吸収することで手袋の手のひら側は湿ってしまい、遂には水分吸収が出来なくなる。しかし、本発明の手袋は５本の指が入る形状ではなく、親指は親指穴から外へはみ出した状態で着用している為に、該親指だけを親指穴から抜くことで表・裏を反転することが出来る。
【００１２】
すなわち、乾いている手の甲側を手のひら側へ反転させることで髪の水分を再び吸収することが出来る。そして、反転することで湿った部分が手の甲側になることでドライヤーの熱風が当り、該手袋は熱風によって乾燥する。このように、水分を吸収して湿る度に反転しながら使用することが出来、短時間で髪の乾燥を行うことが可能となる。勿論、新たな手袋に交換する必要はなく、１着の手袋を繰返し使うことが出来る。
【００１３】
又、手袋には親指が入る２個の穴がある為に、左右何れの手にも着用でき、しかも、親指を外に出すことで手袋を着用したままでドライヤーやブラシを持って作業することも出来る。一方、表面及び裏面をキルティングして凹凸化するならば、その表面積が拡大して水分吸収能力は一段と高くなる。これらの点はペットを洗った後の毛を乾かす場合も同じである。
【００１４】
一方、本発明の乾燥用手袋は上部開口を設け、この上部開口から人差し指、中指、薬指、小指の一部を露出することで、特に長い髪の乾燥がし易く、根元まで指が入ることで効率よく乾燥できる。そして、上部開口に仕切りを設けることで着用した乾燥用手袋の下方への位置ズレが防止される。
【実施例】
【００１５】
図１は本発明に係る洗髪乾燥用手袋（以下：乾燥用手袋という）を示す実施例である。同図に示すように洗髪乾燥用手袋の形状は概略楕円形をなし、図２には図１のＡ−Ａ断面を示しているように、内部には手が入る空間１を有している。該乾燥用手袋は表面２と裏面３を有し、概略楕円形の表面２と裏面３とが重なり合ってその外周が縫い合わされている。
【００１６】
ただし、一部を縫い合わせることなく、手を内部空間１に入れるための着用口４が設けられ、該着用口４には伸縮可能なゴム紐５を取付けている。従って、手に着用した乾燥手袋は、着用口４のゴム紐５が手首を締めて手から外れることはない。又、着用口４の側縁には使わない時にカギに掛ける為の引掛けリング６を取付けている。そして、表面２の両側縁部であって着用口側には親指穴７，７が設けられ、該親指穴７，７は縦方向に延びるスリット穴として形成し、該親指穴７，７には小さいカバー８，８を設けている。この親指穴７，７は裏面側にも同じ位置に設けられ、合計４個の親指穴７，７・・を形成している。
【００１７】
ところで、上記表面２及び裏面３は水分を吸収する能力に優れたタオル生地が使用され、しかも縦方向と横方向を縫製したキルティング生地と成っており、表面は凹凸面を形成している。従って、表面２及び裏面３の表面積が大きくなり、髪の水分を吸収する能力を向上させている。ただし、本発明では洗髪後の髪の水分を吸収する能力が優れている生地であればよく、必ずしもタオル生地に限定するものではない。しかし、髪を擦ることでダメージを与えるような生地質では適さない。
【００１８】
図３は手に本発明の乾燥手袋を着用した場合であり、人指し指、中指、薬指、小指の４本の指は該乾燥手袋の内部空間１に収容され、親指９が親指穴７からはみ出している。ゴム紐５は手首を締め付けて乾燥手袋が手から外れることはない。ところで、この状態で洗髪して濡れた髪を乾かす訳であり、左手にはドライヤーを持って熱風を髪に吹付ける。同時に、乾燥手袋を着用している右手で頭皮を擦るように髪をなびかせて乾燥する。
【００１９】
濡れている髪はドライヤーの熱風によって乾燥し、一方では乾燥手袋によって水分が吸収される。乾燥手袋の表面２及び裏面３の生地は吸水性に優れたタオル生地が使用されているために、濡れている髪に接することで水分が効率よく吸収されるために、ドライヤーで乾燥する時間は短縮される。そして、図３の状態で乾燥する場合、手のひら側が水分にて湿るために、ある程度湿ったところで表面２と裏面３を反転させる。
【００２０】
手の甲側は湿っていないために、これを手のひら側に反転させることで、再び髪の水分が効率よく吸収される。反転することで手の甲側は湿った状態となるが、ドライらーの熱風が手の甲側に当ることで乾燥する。そして、再び手のひら側が湿って水分の吸収能力が低下したところで、乾燥した手の甲側を手のひら側に反転する。乾燥手袋を反転する場合、親指９を親指穴７から抜いた状態で回転し、裏返しにしてところで、親指穴７に親指９を挿入する。親指穴７は該親指の抜き差しが楽にできるように比較的大きく作ってある。
【００２１】
このように本発明に係る乾燥手袋は所定の間隔で反転しながらドライヤーで洗髪して濡れた髪を短時間で乾燥することが出来る。この反転動作は、乾燥手袋を手から外すことなく、親指９を親指穴７から抜くことで手軽に反転することが出来る。これが従来のように５本の指が嵌る手袋であれば、新たな手袋と交換しなくてはならず、面倒である。
【００２２】
本発明では乾燥手袋を外して交換することなく、着用した状態で反転出来る点に特徴がある。勿論、親指も含めて５本の指を収容すればより手軽に反転することは出来るが、髪を乾燥する作業がし難くなる。親指９を親指穴７から露出することで、乾燥手袋を着用したままで簡単な作業をおこなうことが可能となる。例えば、ドライヤーを使いながらブラシを使うことも出来る。一方、親指穴７から親指９を出すことで、着用した乾燥手袋は回転することなく安定する。
【００２３】
図３では右手に乾燥手袋を着用しているが、左手に着用することも出来る。この場合には対向する側に設けている親指穴７から親指９がはみ出すことになる。そして、反転した場合には裏面３に形成している親指穴７から親指９が露出することが出来る。従って、親指穴７，７・・は表面２と裏面３にそれぞれ２ヶ所に設けられる。
【００２４】
一方、実施例のように表面２と裏面３に親指穴７，７・・をそれぞれ設けることなく、表面２と裏面３が縫い合わされる外周に親指穴７，７を２ヶ所に設けることも可能である。そして、親指穴７，７・・は親指９が楽に入るように、又抜くことができるように比較的大きく作ってあり、その為に親指穴７の隙間からドライヤーの熱風が侵入する。これを防止する為に、親指穴７，７・・・には小さなカバー８，８・・・を取付けている。
【００２５】
図４は本発明に係る乾燥手袋を示す他の実施例であり、左手に着用した状態を表している。同図から明らかなように、この乾燥用手袋は人差し指、中指、薬指、小指の一部が露出するように開口している。前記図１の乾燥用手袋の場合、露出しているのは親指だけであるが、残り４本の指を外に露出することで、特に長い髪を乾燥する場合に根元まで指を通すことが出来ることで、乾燥作業がし易くなる。
【００２６】
そこで、該乾燥用手袋には人差し指、中指、薬指、小指が露出するように上部開口１０を形成し、該上部開口１０の周縁にはゴム紐１１を取付けている。しかも、上部開口１０には中間部に仕切り１２を有し、人差し指と中指が露出する上部開口１０ａと薬指と小指が露出する為の上部開口１０ｂに分かれている。ただし、上記仕切り１２を設けない場合もあるが、該仕切り１２があることで下方へ位置ズレすることは無くなる。
【００２７】
そして、上部開口１０ａ，１０ｂの周縁にゴム紐１１を取付けることで、ドライヤーの熱風の侵入が抑制されるが、ゴム紐１１を取付けないで大きく開口するならば、濡れた髪に触れることで湿った乾燥用手袋が該熱風の内部への流入にて作業しながら乾燥できるといった利点もある。
【図面の簡単な説明】
【００２８】
【図１】本発明に係る洗髪乾燥用手袋を示す実施例。
【図２】図１のＡ−Ａ断面図。
【図３】手に洗髪乾燥用手袋を着用している場合。
【図４】本発明に係る洗髪乾燥用手袋を示す他の実施例。
【符号の説明】
【００２９】
１  空間
２  表面
３  裏面
４  着用口
５  ゴム紐
６  引掛けリング
７  親指穴
８  カバー
９  親指
10  上部開口
11  ゴム紐
12  仕切り
【図１】
2010185159.tif 000003
【図２】
2010185159.tif 000004
【図３】
2010185159.tif 000005
【図４】
2010185159.tif 000006